(57)【要約】【課題】自動販売機の左右方向の幅に応じて、自動販売機の背面に錘が固定可能な自動販売機の転倒防止具を提供する。【解決手段】自動販売機１の左右の側面から背面に沿って延びる左右一対のブラケット１１、１１と、左右一対のブラケット１１、１１により自動販売機１の背面に固定される基盤１２と、基盤１２上に固定される板状の錘１３とを備える。ブラケット１１は、自動販売機１の左右方向の側面に固定される固定板部１４と、自動販売機１の背面に沿う支持板部１５とを有する。ブラケット１１の支持板部１５に固定孔１５ａが設けられ、基盤１２上方の左右方向両側部に複数のねじ孔１２ａがそれぞれ設けられる。基盤１２上部の左右方向両側部に対して、左右一対のブラケット１１の支持板部１５が、基盤１２のねじ孔１２ａと支持板部１５の固定孔１５ａとに通したボルト１２ｃにより、左右方向の固定位置を調節可能に固定される。【選択図】図１
2015102935.tif 000002
【特許請求の範囲】
【請求項１】
自動販売機の下方背面に接する基盤と、その基盤を前記自動販売機の背面に固定する左右一対のブラケットと、前記基盤上に固定される板状の錘とを備える自動販売機の転倒防止具であって、
前記ブラケットは、前記自動販売機の左右方向の側面に固定される固定板部と、その固定板部から前記自動販売機の背面に沿って左右方向内向きに延びる支持板部とを有し、前記基盤の左右両側部及び前記支持板部に孔を備え、前記基盤の左右両側部の孔または前記支持板部の孔の少なくとも一方が、左右方向に並んで複数設けられており、前記基盤の孔と、前記支持板部の孔とに通したねじ部材により、その基盤と前記ブラケットの支持板部とが固定された自動販売機の転倒防止具。
【請求項２】
前記基盤が前記自動販売機の設置面上に載置する状態で、その基盤が左右一対の前記ブラケットに固定された請求項１に記載の自動販売機の転倒防止具。
【請求項３】
前記錘が前記基盤に対して、前記自動販売機の設置面上に載置する状態で固定された請求項１または２に記載の自動販売機の転倒防止具。
【請求項４】
前記錘が複数の錘板から構成された請求項１〜３のいずれか１つに記載の自動販売機の転倒防止具。
【発明の詳細な説明】
【技術分野】
【０００１】
この発明は、自動販売機の背面に取り付ける錘を固定するブラケットを備える自動販売機の転倒防止具に関する。
【背景技術】
【０００２】
従来、自動販売機は、屋外に設置する際、地震等の災害発生時に倒れないようにする必要があり、転倒防止のために、その下面四隅のアンカーボルトを設置面に固定している。その一方で、自動販売機について、屋外のみならず屋内への設置の要望があるが、屋外での設置方法を屋内の設置に適用すると、床面などを傷付ける工事などが必要となり、好ましくない。
【０００３】
そこで、自動販売機の屋内での設置では、床面などを傷付けることのないベース板上に、取り付け金具を介して、自動販売機の下面のアンカーボルトを固定することが行われている。このように主に屋内に設置される自動販売機は、ベース板上に固定されているので、その重心を後方側に位置させ、前方側に倒れにくくするために、その背面に転倒防止装置が取り付けられている。
【０００４】
このような自動販売機の転倒防止装置としては、矩形状の鋼板からなる錘と、その錘を自動販売機の背面に取り付ける四本のねじとを備え、錘が自動販売機の背面と同じ形状、サイズに形成されたものが知られている（特許文献１参照）。
【０００５】
特許文献１に記載された自動販売機の転倒防止装置は、錘の上端部に、前方に若干突出するように直角に屈曲したフック部が形成されるとともに、錘の四隅に、自動販売機の背面の四隅に形成されたねじ孔に対応する取付け孔が形成されている。
【０００６】
このような転倒防止装置は、その錘を自動販売機に取り付ける際、まず、錘のフック部を自動販売機の上面後端部に引っかけ、錘を自動販売機の背面に配置する。そして、錘の後方から、ねじを各取り付け孔に挿入し、自動販売機の四つのねじ孔にそれぞれねじ込む。
【０００７】
このようにして、特許文献１に記載された転倒防止装置では、自動販売機の重心を後方にずらし、これによって自動販売機の前方への転倒を防止できる。
【先行技術文献】
【特許文献】
【０００８】
【特許文献１】特開平６−２９５３７９号  公報
【発明の概要】
【発明が解決しようとする課題】
【０００９】
しかしながら、特許文献１に記載の自動販売機の転倒防止装置は、錘が自動販売機の背面とほぼ同じサイズである。一般に、自動販売機は、規格化されたいくつかの左右方向の幅を有している。このため、その自動販売機に対して、その左右方向の幅ごとに、専用の錘が必要になり、錘を自動販売機の左右方向の幅に応じて付けることができないという問題があった。
【００１０】
そこで、この発明の課題は、自動販売機の左右方向の幅に応じて、自動販売機の背面に錘が固定可能な自動販売機の転倒防止具を提供することである。
【課題を解決するための手段】
【００１１】
前記の課題を解決するために、この発明に係る自動販売機の転倒防止具は、自動販売機の下方背面に接する基盤と、その基盤を前記自動販売機の背面に固定する左右一対のブラケットと、前記基盤上に固定される板状の錘とを備える自動販売機の転倒防止具であって、前記ブラケットは、前記自動販売機の左右方向の側面に固定される固定板部と、その固定板部から前記自動販売機の背面に沿って左右方向内向きに延びる支持板部とを有し、前記基盤の左右方向の両側部及び前記支持板部に孔を備え、前記基盤の左右方向の両側部の孔または前記支持板部の孔の少なくとも一方が、左右方向に並んで複数設けられ、前記基盤の孔と、前記支持板部の孔とに通したねじ部材により、その基盤と前記ブラケットの支持板部とが固定された構成を採用することができる。
【００１２】
この構成によると、基盤の左右方向の両側部の孔、または支持板部の孔の少なくとも一方が、左右方向に並んで複数設けられる。このため、基盤の左右方向の両側部に対して、左右一対のブラケットの支持板部が、基盤の孔と支持板部の孔とに通したねじ部材により、左右方向の固定位置を調節可能に固定される。
【発明の効果】
【００１３】
この発明の転倒防止具は、自動販売機の背面において、基盤と左右一対のブラケットとが、左右方向の固定位置を調節可能に固定されるので、自動販売機の左右方向の幅に応じて、自動販売機の背面に固定された基盤に錘を固定することができる。
【図面の簡単な説明】
【００１４】
【図１】この発明の実施形態の自動販売機の転倒防止具を示す斜視図
【図２】同上の転倒防止具を示す正面図
【図３】同上の転倒防止具を示す平面図
【図４】（ａ）同上の転倒防止具の下部を示す拡大正面図、（ｂ）同上の転倒防止具の取り付け金具を示す斜視図
【図５】（ａ）図２のＡ−Ａ線における断面図、（ｂ）図２のＢ−Ｂ線おける断面図
【図６】同上の転倒防止具の基盤に対する錘の取り付け状態を示す斜視図
【図７】（ａ）基盤に対してブラケットを左右方向内側に固定する状態を示す正面図、（ｂ）基盤に対してブラケットを左右方向外側に固定する状態を示す正面図
【発明を実施するための形態】
【００１５】
以下、この発明の実施形態に係る自動販売機の転倒防止具を図１〜図７に基づいて説明する。
この自動販売機の転倒防止具１０は、図１〜図３に示すように、自動販売機１に取り付けられるものであり、自動販売機１の左右の側面から背面に沿って延びる左右一対のブラケット１１、１１と、一対のブラケット１１、１１により自動販売機１の背面に固定される基盤１２と、基盤１２上に固定される板状の錘１３とを備える。
【００１６】
自動販売機１は、図１に示すように、縦長の箱型をなす本体２と、本体２の前面に開閉可能に取り付けられた扉３と、本体２の下方四隅に固定されたアジャストボルト４を有する。
【００１７】
本体２は、左右方向の両側面にブラケット１１の固定板部１４を固定する固定孔２ａを有する。本体２の下方には、左右一対のベース板５、５が配置され、取り付け金具６を介してベース板５にアジャストボルト４、４が固定されている。
【００１８】
アジャストボルト４は、図４に示すように、ねじ軸と、そのねじ軸の下端部に取り付けられた円板状の脚部４ａとを有し、ねじ軸の上端部が本体２の下部四隅にそれぞれねじ込まれる。左右一対のベース板５は、その上面に取り付け金具６が前後二箇所に設置されている。
【００１９】
取り付け金具６は、矩形の金属板の外周に、左右方向外側部分を除いて形成される立ち上がり部６ａを有し、立ち上がり部６ａが下向きとなる状態でベース板５上に設置される。
【００２０】
取り付け金具６の中央面部は、下方に凹んでおり、左右方向の長孔６ｂと、左右方向外側から左右方向内向きに延びる切り欠き６ｃとを有する。
【００２１】
ベース板５を下方から貫通するボルト５ａが取り付け金具６の長孔６ｂに挿通され、ナット５ｂの締め付けによりベース板５と取り付け金具６が固定される。また、切り欠き６ｃにアジャストボルト４のねじ軸が差し込まれ、脚部４ａがベース板５と取り付け金具６の中央面部との間に配置される。この状態で、ナット４ｂの締め付けにより、取り付け金具６とアジャストボルト４が固定される。
【００２２】
左右一対のブラケット１１は、金属板からなり、自動販売機１の左右方向の側面に固定される固定板部１４と、自動販売機１の背面に沿う支持板部１５とを有する。固定板部１４は、図５（ａ）に示すように、本体２に対する固定孔１４ａを有し、固定孔１４ａに挿通されるボルト１４ｂが本体２の固定孔２ａに締め付けられ、本体２に固定可能となっている。また、固定孔１４ａは、前後方向の長孔であり、本体２に対してブラケット１１の前後方向の固定位置を調整することができる。
【００２３】
支持板部１５は、自動販売機１の背面に接する基盤１２に対する固定孔１５ａと、固定孔１５ａに対して固定板部１４側に形成される長孔１５ｂとを有する。また、支持板部１５は、固定板部１４に対して直角にかつ一体に形成されている。
【００２４】
基盤１２は矩形の金属板からなり、その左右方向の幅が自動販売機１の左右方向の幅よりも小さく、左右のベース板５、５の間隔よりも大きく形成されている。このため、基盤１２は、自動販売機１の背面に接する状態で左右のベース板５の左右方向内側部上に載置可能となる。なお、自動販売機１は、床面等に設置された左右一対のベース板５上に取り付け金具６を介して固定、設置されているため、自動販売機１の設置面とは、床面等の上面のみならずベース板５の上面を含むものとする。
【００２５】
基盤１２は、上部の左右両側に三つづつ、左右方向に並ぶねじ孔１２ａを有する（図５（ａ）参照）。さらに、基盤１２には、左右両側の三つのねじ孔１２ａの下方と、下端部の左右両側とにねじ孔である錘用固定孔１２ｂが形成されている（図５（ｂ）参照）。
【００２６】
自動販売機１の背面の左右両側にブラケット１１の支持板部１５が取り付けられる状態で、左側の支持板部１５の固定孔１５ａと、基盤１２の左側の三つのねじ孔１２ａのうち、真ん中のねじ孔１２ａが一致する。また、右側の支持板部１５の固定孔１５ａと、基盤１２の右側の三つのねじ孔１２ａのうち、真ん中のねじ孔１２ａが一致する。
【００２７】
一致する支持板部１５の固定孔１５ａと基盤１２のねじ孔１２ａとに、ボルト１２ｃが挿通され、締め込まれると、基盤１２は、左右のベース板５上で、ブラケット１１の支持板部１５により支持される（図５（ａ）参照）。ここで、通常、自動販売機１としては、左右方向の幅がいくつか規格されている。
【００２８】
これらの規格に応じて、ブラケット１１の支持板部１５の固定孔１５ａと、基盤１２の三つのねじ孔１２ａのうち、左右方向内側（外側）のねじ孔１２ａとを一致させて、ボルト１２ｃにより基盤１２を支持させることができる（図７の（ａ）、（ｂ）の一点鎖線参照）。
【００２９】
また、左右の支持板部１５の長孔１５ｂと、基盤１２の左右の三つのねじ孔１２ａのうち、左右方向外側のねじ孔１２ａとを一致させ、ボルト１２ｃを挿通、締め付けることにより基盤１２が支持される。これは、規格外の自動販売機１の背面に基盤１２を支持する際などに適用される。
【００３０】
なお、基盤１２の左右両側のねじ孔１２ａの数は、三つに限られず、一つ、二つ、四つ、五つ・・・と、規格に応じて設定することができるが、基盤１２の左右方向の両側部のねじ孔１２ａまたは支持板部１５の固定孔１５ａ（長孔１５ｂ）の少なくとも一方が、左右方向に並んで複数設けられていればよい。
【００３１】
錘１３は、基盤１２と同じ厚みの矩形の金属板からなり、基盤１２の左右方向の幅と同じ幅を有し、基盤１２の上下方向の幅（高さ）よりも小さい高さを有する。また、錘１３は、四隅にねじ孔１３ａを有し、基盤１２に重ね合わせる状態で左右のベース板５の左右方向内側部上に載せられる。
【００３２】
錘１３が基盤１２に対して重ね合わされる状態で、錘１３のねじ孔１３ａと、基盤１２の錘用固定孔１２ｂとが一致する。この一致状態で、ボルト１３ｂが締め込まれると、錘１３が基盤１２に固定される（図５（ｂ）参照）。
【００３３】
錘１３は、自動販売機１の重量に応じて、基盤１２に対して複数枚重ね合わせて構成することが可能である。すなわち、錘１３の１枚の重量は、例えば、自動販売機１の１／１０〜１／５に設定され、１８ｋｇ〜２０ｋｇであり、その重量となるように、基盤１２に固定する錘１３の枚数を選定する。
【００３４】
この実施形態の自動販売機の転倒防止具１０は、上記のような構成であり、以下にその使用方法を図面に基づいて説明する。
【００３５】
まず、自動販売機１の規格されている左右方向の幅に応じて、基盤１２の上部両側にブラケット１１の支持板部１５をボルト１２ｃによりそれぞれ固定する。次に、自動販売機１の重量に対応する枚数の錘１３を重ね合わせ、その錘１３をボルト１３ｂにより基盤１２に固定する。
【００３６】
続いて、自動販売機１の背面側において、基盤１２及び錘１３を左右のベース板５の左右方向内側部分の上に載せた状態で、左右のブラケット１１の固定板部１４を自動販売機１の左右方向の側面に沿わせつつ、基盤１２及び錘１３を前方へ移動させ、基盤１２の裏面を自動販売機１の背面に接触させる。
【００３７】
この接触状態で、固定板部１４の固定孔１４ａと、本体２の固定孔２ａとを一致させ、ボルト１４ｂにより、固定板部１４を本体２に固定する。なお、自動販売機１の本体２の固定孔２ａは、転倒防止具１０を取り付ける際に設けてもよく、予め設けてもよい。
【００３８】
以上のようにして、錘１３が本体２の左右からはみ出すことなく、自動販売機１の背面側に転倒防止具１０が取り付けられる。また、基盤１２は、左右のベース板５上に載置した状態で錘１３が固定されるため、基盤１２に固定された左右のブラケット１１、１１への錘１３による負荷が軽減される。
【符号の説明】
【００３９】
１  自動販売機
２  本体
２ａ  固定孔
３  扉
４  アジャストボルト
４ａ  脚部
４ｂ  ナット
５  ベース板
５ａ  ボルト
５ｂ  ナット
６  取り付け金具
６ａ  立ち上がり部
６ｂ  長孔
６ｃ  切り欠き
１０  転倒防止具
１１  ブラケット
１２  基盤
１２ａ  ねじ孔
１２ｂ  錘用固定孔
１２ｃ  ボルト
１３  錘
１３ａ  ねじ孔
１３ｂ  ボルト
１４  固定板部
１４ａ  固定孔
１４ｂ  ボルト
１５  支持板部
１５ａ  固定孔
１５ｂ  長孔
【図１】
2015102935.tif 000003
【図２】
2015102935.tif 000004
【図３】
2015102935.tif 000005
【図４】
2015102935.tif 000006
【図５】
2015102935.tif 000007
【図６】
2015102935.tif 000008
【図７】
2015102935.tif 000009